(57)【要約】      （修正有） 【課題】柔らかい素材で開口部を開けた状態でも自立可能で倒れにくく、使用しやすいバッグを提供する。【解決手段】ファスナー２により側面まで開口される開口部を備えるバッグ１であって、ファスナーの内面に外周に沿って内周帯を備え、一方の開口面７に備わる内周帯の両端をもう一方の開口面８に備わる内周帯の両端と結合させ内周枠６を構成する。また、内周枠はパイピングを施し、開口部の内面側には、収容物の出し入れが可能な開口部を２か所有するポケット９を設ける。【選択図】図４
0003194289.tif 000002
【実用新案登録請求の範囲】
【請求項１】
ファスナーにより側面まで開口される開口部を備えたバッグであって、
開口した状態で構成される第一開口面と前記第一開口面に対する第二開口面とをバッグの外側に折り返して使用できることを特徴とするバッグ。
【請求項２】
前記第一開口面と第二開口面のファスナーが備え付けられた外周の内側には、外周に沿って内周帯を備え、前記第一開口面に備わる内周帯の両端が第二開口面に備わる内周帯の両端と結合されて内周枠を構成していることを特徴とする請求項１に記載のバッグ。
【請求項３】
前記内周枠はパイピングが施されていることを特徴とする請求項１乃至請求項２のいずれかに記載のバッグ。
【請求項４】
前記開口部の内面側には、収容物の出し入れが可能な開口部を２か所有するポケットを設け、前記開口部はファスナー又はフラップにより開閉可能であることを特徴とする請求項１乃至請求項３のいずれかに記載のバッグ。
【考案の詳細な説明】
【技術分野】
【０００１】
本考案は、底面を広く、または、補強板等を入れずとも自立し、倒れにくいバッグに関するものである。
【背景技術】
【０００２】
従来、バッグは布や革、合成皮革等様々な素材で構成されている。
【０００３】
そして、それらの素材が柔らかいものや縦に長いものは、重心が安定せず、開口部を開けた状態で収容物の出し入れをすれば、すぐに倒れるか、途中で側面が曲がって折れてしまうことが多かった。
【０００４】
また、開口部が狭く縦に長いバッグであれば出し入れがしにくく、特に化粧用具洗面用具入れになるとマチ部分を広くし、丈夫な素材を使用すればデザイン形状が限定され、コンパクト感が失われる恐れがあった。
【０００５】
そのため、バッグ全体を補強できる新たな構造が必要であった。
【非特許文献１】実願平６−１９０６
【考案の開示】
【考案が解決しようとする課題】
【０００６】
そこで、このような問題を解消すべく、柔らかい素材でも開口部を開けた状態で倒れにくく、使用しやすいバッグを提供する。
【課題を解決するための手段】
【０００７】
ファスナーにより側面まで開口される開口部を備えるバッグであって、この開口部を構成する、対する２つの開口面の外周に備わるファスナーの内側に、外周に沿って内周帯を備え、一方の開口面に備わる内周帯の両端をもう一方の開口面に備わる内周帯の両端と結合させ内周枠を構成する。また、内周枠はパイピングを施し、
前記開口部の内面側には、収容物の出し入れが可能な開口部を２か所有するポケットを設ける。
【考案の効果】
【０００８】
本考案によれば、簡単に内面を外側に折り返すことが可能で使用しやすくなる。
【０００９】
また、ファスナーと内周枠が２重の補強部となって、開口部を折り返した状態で自立可能で倒れにくい構造となる。
【００１０】
そして、パイピングにより、見た目の良い縫合と共に、ファスナーを閉めるときに両開口面に備わる内周枠を巻き込みにくくなる。
【００１１】
さらに、折り返した状態でも内面のポケットを使用できる。
【考案を実施するための最良の形態】
【００１２】
ファスナーにより側面まで開口される開口部を備えるバッグであって、この開口部を構成する、対する２つの開口面の外周に備わるファスナーの内側に、外周に沿って内周帯を備え、一方の開口面に備わる内周帯の両端をもう一方の開口面に備わる内周帯の両端と結合させ内周枠を構成する。また、内周枠はパイピングを施し、前記開口部の内面側には、収容物の出し入れが可能な開口部を２か所有するポケットを設ける。
【実施例１】
【００１３】
以下、図１乃至図５を参照して本考案に係るバッグの実施例を説明する。
まず、図２のようにファスナーにより側面まで開口される開口部を備えたバッグを完成させる。
【００１４】
ここで、開口部は、同素材又は別素材の２層構造とし、張り合わせ、縫い合わせ、圧着等で留め合わせ、内側に折り曲げて内周帯１０を形成する。
【００１５】
また、上記開口部は側面まで開口される為、図３及び図４のように開口した状態で構成される第一開口面７と前記第一開口面に対する第二開口面８とからなり、これらの両面に内周帯１０を形成する。
【００１６】
そして、前記第一開口面７に備わる内周帯１０の両端を第二開口面８に備わる内周帯１０の両端と結合させ内周枠６を構成する。
【００１７】
この内周枠６に、更にパイピング１１を施しておくことで、見た目の良い縫合と共に、ファスナー２を閉めるときに内周枠６を巻き込みにくくなる。
【００１８】
次に、前記内周枠６の外周に沿ってファスナー２を取り付ける。
【００１９】
このとき、補強高度が増し、縫合工程が短縮される為、図５のように内周帯１０とファスナー２を重ね合わせ、内周帯１０に沿ってパイピング１１を施して内周枠６を形成しても良い。
【００２０】
なお、ファスナー２で内周枠６を覆うように取付けると、ファスナー２と閉めるとき、重なり合う状態で閉まる為、埃が入り込みにくい密閉状態を生じさせる。
【００２１】
また、折り返した状態でも内面のポケット９を使用できるように、折り返す前のファスナー５の位置と反対の位置にも収容物の出し入れが可能なファスナー５を設ける。ファスナーに変えてフラップを用いても良い。
【００２２】
こうして完成させたバッグ１を開口し、折り返して使用すると、内周枠６とファスナー２が補強フレームの役割を果たし外周の強度性が高まり、柔らかい素材でも倒れにくい構造のバッグとなる。
【００２３】
また、本バッグ１であれば、図１のように１方向にのみ折り曲げても使用でき、２図のように折り曲げずに取手４を持って使用することも出来る。
【００２４】
図１のように１方向にのみ折り曲げる場合は、図２のように４隅に磁石３を設けて折り曲げたときに固定させて使用することも可能である。
【００２５】
このように、好ましい実施例を挙げて本考案を説明したが、本考案はその実施例に限定されるものではなく、本考案の要旨の範囲内で種々に組み合わせや改変できる。
【図面の簡単な説明】
【００２６】
【図１】本考案に係るバッグを１方向にのみ折り曲げた使用図である。
【図２】本考案に係るバッグを折り曲げずに取手を持てるようにした使用図である。
【図３】本考案に係るバッグの片面を折り返した図である。
【図４】本考案に係るバッグの両面を折り返した図である。
【図５】本考案に係るバッグの内周枠の断面図である。
【符号の説明】
【００２７】
１  バッグ
２  ファスナー
３  磁石
４  取手
５  ファスナー
６  内周枠
７  第一開口面
８  第二開口面
９  ポケット
１０  内周帯
１１  パイピング
【図１】
0003194289.tif 000003
【図２】
0003194289.tif 000004
【図３】
0003194289.tif 000005
【図４】
0003194289.tif 000006
【図５】
0003194289.tif 000007